(57)【要約】【課題】優れた洗浄力を示し、更にシリコーン配合した場合であっても、繊維製品に優れた吸水性を付与できる液体洗剤組成物を提供する。【解決手段】（ａ）ホウ酸、ホウ砂及びホウ酸塩から選ばれる化合物、（ｂ）隣り合う炭素原子の両方にそれぞれ一つヒドロキシ基を有する部位が一つ以上存在する化合物、（ｃ）一般式（ｃ１）で示されるモノマー構成単位ｃ１と一般式（ｃ２）で示されるモノマー構成単位ｃ２とを特定のモル比で含む、重量平均分子量が１０００〜１０００００のポリエステル系高分子化合物、（ｄ）界面活性剤、及び水を、それぞれ特定範囲で含有し、〔（ｂ）成分〕／〔（ａ）成分中のホウ素原子〕のモル比が１．５〜２．７であり２０℃におけるｐＨが４〜７．５である液体洗剤組成物。【選択図】なし【特許請求の範囲】
【請求項１】
（ａ）ホウ酸、ホウ砂及びホウ酸塩から選ばれる化合物をホウ素原子として０．０５〜１質量％、（ｂ）隣り合う炭素原子の両方にそれぞれ一つヒドロキシ基を有する部位が一つ以上存在する化合物を３〜３５質量%、（ｃ）下記一般式（ｃ１）で示されるモノマー構成単位ｃ１と下記一般式（ｃ２）で示されるモノマー構成単位ｃ２とを、ｃ１／ｃ２＝１０／９０〜９０／１０のモル比で含む、重量平均分子量が１０００〜１０００００の高分子化合物を０．０１〜１０質量％、（ｄ）界面活性剤を５〜５０質量％、及び水を含有し、〔（ｂ）成分〕／〔（ａ）成分中のホウ素原子〕のモル比が１．５〜２．７であり２０℃におけるｐＨが４〜７．５である液体洗剤組成物。
【化１】
2008189755.tif 000008
〔式中、Ｒ1、Ｒ2は炭素数２又は３のアルキレン基であり、これらは同一又は異なっていてもよい。ｎは数平均で１〜１５０の数である。〕
【請求項２】
有機キレート剤の含有量が１質量％以下及びアルカノールアミンの含有量が２質量％以下である請求項１記載の液体洗剤組成物。
【請求項３】
更に、（ｅ）下記一般式（ｅ）で表されるシリコーン誘導体を０．１〜１０質量％含有する請求項１又は２記載の液体洗剤組成物。
【化２】
2008189755.tif 000009
〔式中、ｌ＝１００〜６００であり、ｍ，ｎはｌ：ｍ＝１００：１〜１０：１、且つｍ：ｎ＝１：１０〜１０：１となる数である。Ｒは炭素数１〜４のアルキル基、ヒドロキシ基又はアルコキシ基であり、Ｒ1eは炭素数１〜４のアルキル基であり、それぞれ異なってもよい。Ａは下記（イ）で表される基又は（イ）及び（ロ）で表される基であり、後者の場合、Ａ中の（ロ）の割合は５０モル％以下である。
【化３】
2008189755.tif 000010
（ここで、ａ＝２〜６、ｂ＝２〜６、Ｒ2eは水素原子又は炭素数１〜４のアルキル基、ｐ＝１〜６、ｑ＝１〜２０、ｒ＝０〜２０、Ｒ3eは炭素数１〜１８のアルキル基）、Ｂは-(ＣＨ2)a-Ｏ-(Ｃ2Ｈ4Ｏ)s-(Ｃ3Ｈ6Ｏ)t-Ｒ2'e又はＲ2e（ここで、Ｒ2'eは炭素数１〜１０のアルキル基、ｓ＝１〜２０、ｔ＝０〜２０）を示す。尚、式（ｅ）中に-Ｃ2Ｈ4Ｏ-及び-Ｃ3Ｈ6Ｏ-が存在する場合は、ブロック付加でもランダム付加でも良い。〕
【発明の詳細な説明】
【技術分野】
【０００１】
本発明は液体洗剤組成物、特に衣料等の繊維製品用として好適な液体洗剤組成物に関する。
【背景技術】
【０００２】
液体の衣料用洗剤は、粉末洗剤に比べ、汚れた部分に水に直接塗布できるといった使いやすさの点で優れている。液体洗剤は、液状の界面活性剤を多量に配合することができることから、油汚れに強い非イオン界面活性剤や、ＥＳと呼ばれるエーテル硫酸エステルなどを主基材とした洗浄剤を設計することができる。また液体洗剤は、軽質洗剤といわれる、ウールやシルクなどのデリケートな素材からなる衣料や、オシャレ着用の洗剤として応用できることが、古くから知られている。軽質洗剤は、そのｐＨを中性付近に調整することで、繊維素材への影響を抑制する一方で、風合い保持ないし付与の観点から、シリコーンや油などを配合する技術が用いられる場合がある。
【０００３】
液体洗剤では、沈殿や相分離などが生じることは問題となるため、液相安定性が要求されることから、配合成分が制限される。例えば、液体洗剤にゼオライトなどの水不溶性の化合物を配合することが難しい。このことは、硬度成分によって影響される陰イオン界面活性剤の界面活性化能を低下させるだけでなく、洗浄力の点で不利である。
【０００４】
一方、アルキレンテレフタレートやアルキレンイソフタレートを構成単位とするポリエステル系高分子化合物は、ソイルリリース剤（汚れ剥離剤）として用いることは知られており、洗剤などに応用されている。また、工業的に繊維製品にソイルリリース効果を付与する目的から、特許文献１にはポリエステル系高分子化合物とポリエーテル変性シリコーンを併用する技術が開示されている。
【０００５】
また、特許文献２には、ホウ素化合物及びポリオール化合物を含有することで、希釈時にｐH値が増加し、優れた漂白効果を示す漂白剤組成物が記載されている。
【特許文献１】特開平９−２９１４８３号公報
【特許文献２】特開２００６−１４３９０７号公報
【発明の開示】
【発明が解決しようとする課題】
【０００６】
ポリエステル系高分子化合物を液体洗剤に配合した場合、十分な洗浄力及びソイルリリース効果を得ることができないという課題があった。またシリコーンを含有する液体洗剤は、累積洗濯により繊維製品の吸水性を損う傾向にあった。
【０００７】
本発明は、優れた洗浄力を示し、更にシリコーンを配合した場合であっても、繊維製品に優れた吸水性を付与できる液体洗剤組成物を提供することにある。
【課題を解決するための手段】
【０００８】
本発明は、（ａ）ホウ酸、ホウ砂及びホウ酸塩から選ばれる化合物をホウ素原子として０．０５〜１質量％、（ｂ）隣り合う炭素原子の両方にそれぞれ一つヒドロキシ基を有する部位が一つ以上存在する化合物を３〜３５質量%、（ｃ）下記一般式（ｃ１）で示されるモノマー構成単位ｃ１と下記一般式（ｃ２）で示されるモノマー構成単位ｃ２とを、ｃ１／ｃ２＝１０／９０〜９０／１０のモル比で含む、重量平均分子量が１０００〜１０００００の高分子化合物を０．０１〜１０質量％、（ｄ）界面活性剤を５〜５０質量％、及び水を含有し、〔（ｂ）成分〕／〔（ａ）成分中のホウ素原子〕のモル比が１．５〜２．７であり２０℃におけるｐＨが４〜７．５である液体洗剤組成物に関する。
【０００９】
【化４】
2008189755.tif 000002
【００１０】
〔式中、Ｒ1、Ｒ2は炭素数２又は３のアルキレン基であり、これらは同一又は異なっていてもよい。ｎは数平均で１〜１５０の数である。〕
【発明の効果】
【００１１】
本発明によれば、保存後も洗浄力に優れ、シリコーン配合時であっても吸水性に優れる液体洗剤組成物が提供される。
【発明を実施するための最良の形態】
【００１２】
本発明の液体洗剤組成物は、（ａ）成分としてホウ酸、ホウ砂及びホウ酸塩から選ばれる化合物と、（ｂ）成分として隣合う炭素原子の両方にそれぞれ１つヒドロキシ基を有する部位が１つ以上存在する化合物とからなるｐＨジャンプ系を、特定の組成及び比率で使用する。
【００１３】
＜（ａ）成分＞
（ａ）成分の中でも、ホウ酸塩としては、ホウ酸ナトリウム、ホウ酸カリウム、ホウ酸アンモニウム、４ホウ酸ナトリウム、４ホウ酸カリウム、４ホウ酸アンモニウム等が挙げられる。
【００１４】
＜（ｂ）成分＞
（ｂ）成分としては、グリセロール類、グリコール類、糖アルコール類、還元糖類及び多糖類を挙げることができ、具体的には下記（１）〜（４）の化合物が好適である。
（１）グリセリン、ジグリセリン、トリグリセリン、炭素数１〜１０のアルキルグリセリルエーテル、アルキルジクリセリルエーテル、アルキルトリグリセリルエーテル、エチレングリコール、１，２プロピレングリコール等から選ばれるグリセロール類又はグリコール類。
（２）ソルビット、マンニット、マルチトース、イノシトール、フィチン酸等から選ばれる糖アルコール類。
（３）グルコース、アピオース、アラビノース、ガラクトース、リキソース、マンノース、ガロース、アルドース、イドース、タロース、キシロース、フルクトース等から選ばれる還元糖類。
（４）デンプン、デキストラン、キサンタンガム、グアガム、カードラン、プルラン、アミロース、セルロース等から選ばれる多糖類。
【００１５】
本発明では、糖アルコール類（又はポリヒドロキシアルカンとも言う）が好ましく、更には前記（２）に具体的に挙げた糖アルコール類が好適であり、特にソルビットが安定性及び洗浄効果の点から好適である。
【００１６】
（ａ）成分（ホウ素化合物）と（ｂ）成分（α，β−ジヒドロキシ化合物）との間には下記のような平衡反応が存在する。
【００１７】
【化５】
2008189755.tif 000003
【００１８】
本発明においてはジ体がｐＨジャンプ系の主要成分であることが希釈溶液のｐＨを高める点から８．５以上１０．５未満にするために好適であり、具体的には、液体洗剤組成物中においてホウ素化合物の７０〜１００モル％がジ体であることが好ましい、モノ体の含有量はホウ素化合物の０〜５モル％未満が好ましく、単独で存在するホウ酸、ホウ砂及びホウ酸塩の含有量をホウ素化合物の０〜２５モル％未満になるようにすることが好適である。従って本発明では〔（ｂ）成分〕／〔（ａ）成分中のホウ素原子〕のモル比（例えば、ホウ砂及び４ホウ酸ナトリウムの場合はホウ素原子を４個含むため、４当量と考える）が１．５〜２．７、好ましくは２．０〜２．７、より好ましくは２．２〜２．７の極限られたモル比で混合することが洗浄力及び汚れ剥離性において好ましい。
【００１９】
なお、本発明では（ａ）成分及び（ｂ）成分を液体洗剤組成物に配合する場合には、液体洗剤組成物中では上記モノ体、及びジ体の化合物に変換されているため、本発明でいう（ａ）成分、及び（ｂ）成分の含有量とは、単独で存在する（ａ）成分及び（ｂ）成分の含有量に、上記モノ体、ジ体の含有量から（ａ）成分及び（ｂ）成分の量を換算した量を加えた量の合計を意味する。（ａ）成分の含有量は、組成物中においてホウ素原子として０．０５〜１質量％、好ましくは０．１５〜０．５質量％、より好ましくは０．２〜０．４質量％である。（ｂ）成分の含有量は、組成物中において３〜３５質量％、好ましくは５〜３０質量％、より好ましくは１０〜２０質量％である。
【００２０】
なお、変換されたモノ体、ジ体の含有量は、ホウ素（11Ｂ）のＮＭＲを用いることで算出することができる。
【００２１】
＜（ｃ）成分＞
本発明の（ｃ）成分は、下記一般式（ｃ１）で示されるモノマー構成単位ｃ１と下記一般式（ｃ２）で示されるモノマー構成単位ｃ２とを、ｃ１／ｃ２＝１０／９０〜９０／１０のモル比で含む、重量平均分子量が１０００〜１０００００の高分子化合物である。モノマー構成単位ｃ１とモノマー構成単位ｃ２の配列はランダムでもブロックでも何れでも良い。また、ｃ１／ｃ２モル比は、９０／１０〜４０／６０、更に８０／２０〜４５／５５が好ましい。
【００２２】
【化６】
2008189755.tif 000004
【００２３】
〔式中、Ｒ1、Ｒ2は炭素数２又は３のアルキレン基、好ましくは炭素数２のエチレン基であり、これらは同一又は異なっていてもよい。ｎは数平均で１〜１５０、好ましくは１０〜１００の数である。〕
【００２４】
本発明の（ｃ）成分である高分子化合物の製法については、特に限定はしないが、例えば、不活性ガス中触媒存在下、ジカルボン酸成分とグリコール成分とを１６０〜２７０℃に加熱してエステル化反応あるいはエステル交換反応させて、グリコールエステルを調整し、その後、適宜の時期にポリアルキレングリコールを添加混合して常圧あるいは減圧下にて重合させる。触媒としては、酸化バリウムあるいは酸化アンチモン、酢酸亜鉛、酢酸マンガン、酢酸コバルト、コハク酸亜鉛、テトラブチルチタネート、マグネシウムメトキシド、ナトリウムメトキシド等の金属酸化物、有機金属化合物を用いることができる。
【００２５】
（ｃ）成分の重量平均分子量はゲルパーミエーションクロマトグラフィーにより、アセトニトリルと水の混合溶液（リン酸緩衝液）を展開溶媒とし、ポリエチレングリコールを標準物質として測定することができる。（ｃ）成分の重量平均分子量は、１０００〜１０００００であり、６０００〜８５０００が好ましい。また、ｃ１／ｃ２モル比は、９０／１０〜４０／６０、更に８０／２０〜４５／５５が好ましい。
【００２６】
本発明の液体洗剤組成物は、（ｃ）成分を０．０１〜１０質量％、好ましくは０．０３〜５質量％、より好ましくは０．０５〜２質量％含有する。
【００２７】
＜（ｄ）成分＞
本発明の（ｄ）成分は界面活性剤である。（ｄ）成分としては、陰イオン界面活性剤が挙げられ、具体的には、炭素数１０〜１８のアルキル鎖を持つ直鎖アルキルベンゼンスルホン酸、炭素数１０〜１８のアルキル鎖を持つアルキル硫酸エステル、炭素数１０〜１８のアルキル鎖を持つポリオキシアルキレンアルキルエーテル硫酸エステル、アルファスルホ脂肪酸アルキル（例えばメチル）エステル、炭素数８〜２０の脂肪酸、及びこれらの塩、特にアルカリ金属塩が挙げられる。これら陰イオン界面活性剤のうち、直鎖アルキルベンゼンスルホン酸塩、及びポリオキシアルキレンアルキルエーテル硫酸エステル塩が好ましい。陰イオン界面活性剤の対イオンとしてはナトリウム、カリウム等のアルカリ金属以外に、マグネシウム等のアルカリ土類金属を使用することができるが、アルカノールアミンの配合量は洗浄力を低下させるため制限される。詳しくは後述する。また脂肪酸またはその塩も配合が制限され、すべて脂肪酸とみなした場合の配合濃度が、１質量％以下、更に０．５質量％以下、特に０．０１質量％未満であることが好ましい。
【００２８】
他の（ｄ）成分としては、非イオン界面活性剤が挙げられ、具体的には下記（Ｉ）〜（IV）の非イオン界面活性剤が挙げられる。
（Ｉ）平均炭素数が８〜２０の直鎖１級アルコール又は直鎖２級アルコール由来のアルキル基又は分岐アルコール由来のアルキル基又はアルケニル基を有し、エチレンオキサイド（以下、ＥＯと表記する）を平均で１〜２０モルを付加したポリオキシエチレンアルキル又はアルケニルエーテル。
（II）平均炭素数が８〜２０のアルキル基又はアルケニル基を有し、ＥＯを平均で１〜１５モル及びプロピレンオキサイド（以下、ＰＯと表記する）を平均で１〜５モル付加したポリオキシアルキレンアルキル又はアルケニルエーテル。この場合、ＥＯ及びＰＯはランダム付加でもブロック付加でもいずれでもよい。特にエリ・そで口汚れに対する高洗浄力を得ることができる点で、下記一般式（ｄ１）で表される化合物が好ましい。
Ｒd1−Ｏ（ＥＯ）ｐ（ＰＯ）ｑ（ＥＯ）ｒＨ      （ｄ１）
〔式中、Ｒd1は炭素数８〜２０の直鎖のアルキル基又はアルケニル基である。ＥＯはオキシエチレン基、ＰＯはオキシプロピレン基を示す。ｐ、ｑ及びｒは平均付加モル数を表しｐ＞０、ｑ＝１〜４、ｒ＞０、ｐ＋ｑ＋ｒ＝６〜１４、ｐ＋ｒ＝５〜１２である。好ましくはｐ＋ｑ＋ｒ＝７〜１４、ｐ＋ｒ＝６〜１２、ｑ＝１〜２である。〕
（III）次の一般式（ｄ２）で表されるアルキル多糖界面活性剤。
Ｒd2−（ＯＲd3）iＧj          （ｄ２）
〔式中、Ｒd21は直鎖又は分岐鎖の炭素数８〜１８のアルキル基もしくはアルケニル基、又はアルキル（炭素数４〜１２）フェニル基、Ｒd3は炭素数２〜４のアルキレン基、Ｇは炭素数５又は６の還元糖に由来する残基、ｉは平均値０〜６の数、ｊは平均値１〜１０の数を示す。〕
（IV）脂肪酸アルカノールアミド、ポリヒドロキシ脂肪酸アミド。
【００２９】
特に、油性汚れ洗浄力の点で、（Ｉ）及び／又は（II）のポリオキシアルキレンアルキルエーテルを含有することが好ましく、（Ｉ）を含有することがより好ましい。
【００３０】
他の（ｄ）成分としては、モノ長鎖アルキルまたはアルケニル（炭素数８〜２０）ジメチルモノベンジルアンモニウム塩、トリヒドロキシエチルアミンの飽和または不飽和脂肪酸（炭素数８〜２０）エステル塩の混合物及びそれのジメチル硫酸の四級化物、及びジ長鎖アルキルまたはアルケニル（炭素数８〜２０）ジメチルアンモニウム塩、モノ長鎖アルキルトリメチルアンモニウム塩、モノ長鎖アルキル（炭素数８〜２０）ジメチルアミン、及びＮ-アルカノイル（炭素数８〜２０）アミノプロピル-Ｎ，Ｎ−ジメチルアミンなどの陽イオン界面活性剤、並びにアルキルカルボベタイン、アルキルスルホベタイン、アルキルアミドヒドロキシスルホベタイン、アルキルアミドアミン型ベタイン及びアルキルイミダゾリン型ベタイン等の両性界面活性剤が挙げられる。
【００３１】
洗浄性能の点で、（ｄ）成分は、組成物中の５〜５０質量％となるように配合され、好ましくは１０〜５０質量％、より好ましくは２０〜４０質量％、最も好ましくは２５〜４０質量％となるように配合される。
【００３２】
＜（ｅ）成分＞
本発明の液体洗剤組成物は、（ｅ）成分として、下記一般式（ｅ）で表されるシリコーン誘導体を含有することで、洗浄後の繊維製品の風合いが向上する。また累積洗浄による吸水性の低下が少ない。
【００３３】
【化７】
2008189755.tif 000005
【００３４】
〔式中、ｌ＝１００〜６００であり、ｍ，ｎはｌ：ｍ＝１００：１〜１０：１、且つｍ：ｎ＝１：１０〜１０：１となる数である。Ｒは炭素数１〜４のアルキル基、ヒドロキシ基又はアルコキシ基であり、Ｒ1eは炭素数１〜４のアルキル基であり、それぞれ異なってもよい。Ａは下記（イ）で表される基又は（イ）及び（ロ）で表される基であり、後者の場合、Ａ中の（ロ）の割合は５０モル％以下である。
【００３５】
【化８】
2008189755.tif 000006
【００３６】
（ここで、ａ＝２〜６、ｂ＝２〜６、Ｒ2eは水素原子又は炭素数１〜４のアルキル基、ｐ＝１〜６、ｑ＝１〜２０、ｒ＝０〜２０、Ｒ3eは炭素数１〜１８のアルキル基）、Ｂは-(ＣＨ2)a-Ｏ-(Ｃ2Ｈ4Ｏ)s-(Ｃ3Ｈ6Ｏ)t-Ｒ2'e又はＲ2e（ここで、Ｒ2'eは炭素数１〜１０のアルキル基、ｓ＝１〜２０、ｔ＝０〜２０）を示す。尚、式（ｅ）中に-Ｃ2Ｈ4Ｏ-及び-Ｃ3Ｈ6Ｏ-が存在する場合は、ブロック付加でもランダム付加でも良い。〕
【００３７】
本発明の液体洗剤組成物の残部は、水である。硬度の影響がないイオン交換水が好ましい。また２０℃における本発明の液体洗剤組成物の２０℃におけるｐＨは、４〜７．５、好ましくは５〜７、より好ましくは６〜７である。このようなｐＨに調整するためのｐＨ調整剤としては塩酸、硫酸及び硝酸等の無機酸、又は水酸化ナトリウム及び水酸化カリウム等の無機塩基を用いることが好ましい。すなわち本発明の液体洗剤組成物は、塩酸、硫酸及び硝酸から選ばれる無機酸、又は水酸化ナトリウム及び水酸化カリウムから選ばれる無機塩基によってｐH調整されたものであることが好ましい。なおｐＨの測定は、ＪＩＳ  Ｋ  ８８０２の７．２により行う。
【００３８】
また、本発明の液体洗剤組成物の２０℃における粘度は５０〜５００ｍＰａ・ｓ、更に７５〜３００ｍＰａ・ｓ、特に１００〜２５０ｍＰａ・ｓが好ましい。粘度は、次のようにして測定する。まずＴＯＫＩＭＥＣ．ＩＮＣ製Ｂ型粘度計モデルＢＭに、ローター番号Ｎｏ．２のローターを備え付けたものを準備する。試料をトールビーカーに充填し２０℃の恒温槽内にて２０℃に調整する。恒温に調整された試料を粘度計にセットする。ローターの回転数を６０ｒ／ｍに設定し、回転を始めてから６０秒後の粘度を本発明の粘度とする。
【００３９】
＜その他成分＞
本発明の液体洗剤組成物において、有機キレート剤とアルカノールアミンの配合は、希釈時のｐＨ変動を抑制し洗浄力を阻害する傾向があるため、その配合量は制限されることが好ましい。以下詳細に説明する。
【００４０】
本発明では、有機キレート剤、特には分子量４０〜４００、好ましくは９０〜３６０、より好ましくは１００〜３００の水溶性の有機キレート剤は配合量が制限される。
【００４１】
配合量の制限対象となる有機キレート剤としては、具体的には前記分子量を有する有機酸系キレート剤であり、ギ酸、グルコン酸、リンゴ酸、酒石酸、乳酸、クエン酸、コハク酸、マレイン酸及びフマル酸から選ばれるカルボン酸、エチレンジアミン４酢酸、ジエチレントリアミン５酢酸、メチルグリシン２酢酸、グルタミン酸２酢酸、セリン２酢酸及びアスパラギン酸２酢酸から選ばれるアミノカルボン酸、ヒドロキシエタンジホスホン酸及びアミノトリメチレンホスホン酸から選ばれるホスホン酸、並びにそれらのアルカリ金属、アルカリ土類金属塩を挙げることができる。
【００４２】
本発明の液体洗剤組成物中の有機キレート剤の含有量は、酸型として換算した場合、十分な洗浄力を得るために組成物中に１質量％以下、好ましくは０．５質量％以下、より好ましく０．３質量％以下、最も好ましくは、実質的に配合しないことであり、他の成分からの持ち込みを考慮して０．０１質量％未満であることが好ましい。有機キレート剤の過度の配合は洗浄力を低下させる。また重金属イオンによる影響をなくすために、有機キレート剤を配合せざるを得ない場合は、クエン酸、エチレンジアミン４酢酸及びそれらのアルカリ金属塩が使用しやすく、特に洗浄力の点でエチレンジアミン４酢酸またはそのアルカリ金属塩が奨励される。
【００４３】
本発明では、アルカノールアミンの配合量は制限される。それは陰イオン界面活性剤の塩として用いる場合も同様である。アルカノールアミンとしてはモノエタノールアミン、ジエタノールアミン、トリエタノールアミン、２−アミノ−２−メチル−１−プロパノールから選ばれるアルカノールアミンが挙げられる。
【００４４】
本発明の液体洗剤組成物中のアルカノールアミンの含有量は、十分な洗浄力を得るために、単独で配合した分と他の成分からの持ち込まれる分との合計で、組成物中に２質量％以下、好ましくは１質量％以下、より好ましくは０．５質量％以下、更に好ましくは０．０１質量％未満、最も好ましくは、実質的に配合しないことである。
【００４５】
なお珪酸ナトリウムなどのケイ酸塩や炭酸ナトリウムなどの炭酸塩に代表される無機塩型のアルカリ剤もまた配合が制限される。好ましくは無水物に換算して１質量％以下、より好ましくは０．５質量％以下、最も好ましくは０．０１質量％未満である。
【００４６】
本発明の液体洗剤には、次の任意の成分を、それぞれ下記の範囲で配合することができる。
（ｉ）エタノール等のアルコール類、エチレングリコール及びプロピレングリコール等のグリコール類、パラトルエンスルホン酸、安息香酸塩（防腐剤としての効果もある）、並びに尿素等の減粘剤及び可溶化剤０．０１〜３０質量％
（ii）ポリオキシアルキレンベンジルエーテル、ポリオキシアルキレンフェニルエーテル等の相調整剤及び洗浄力向上剤０．０１〜１０質量％
（iii）ポリアクリル酸、ポリマレイン酸、カルボキシメチルセルロース、重量平均分子量５０００以上のポリエチレングリコール、無水マレイン酸−ジイソブチレン共重合体、無水マレイン酸−メチルビニルエーテル共重合体、無水マレイン酸−酢酸ビニル共重合体、ナフタレンスルホン酸塩ホルマリン縮合物、及び特開昭５９−６２６１４号公報の請求項１〜２１（１頁３欄５行〜３頁４欄１４行）記載のポリマー等の再汚染防止剤及び分散剤０．０１〜１０質量％
（iv）ポリビニルピロリドン等の色移り防止剤０．０１〜１０質量％
（ｖ）アミラーゼ、プロテアーゼ、リパーゼ及びセルラーゼ等の酵素０．００１〜２質量％
（vi）塩化カルシウム、硫酸カルシウム、ギ酸等の酵素安定化剤０．００１〜２質量％
（vii）チノパールＣＢＳ（チバスペシャリティケミカルズ製）やホワイテックスＳＡ（住友化学社製）等の蛍光染料０．００１〜１質量％
（viii）シリカ、（ｃ）成分以外のシリコーン等の消泡剤０．０１〜２質量％
（iｘ）ブチルヒドロキシトルエン、ジスチレン化クレゾール、亜硫酸ナトリウム及び亜硫酸水素ナトリウム等の酸化防止剤０．０１〜２質量％
（ｘ）着色剤
（xii）香料
（xiii）防菌・防かび剤などの防腐剤
【実施例】
【００４７】
表１に記載された液体洗剤組成物を用いて、調製直後、及び温度５０℃、湿度４０％の条件で２０日保存した後の布帛の洗浄力及び吸水性を、下記方法で評価した。結果を表１に示す
【００４８】
（Ｉ）洗浄力評価
（試験布前処理）
ターゴトメーターにて試験布（ポリエステル）を前処理する。試験布は１０枚／浴とし、前処理用洗剤は表１の各組成物を使用する。前処理の条件は、２０℃水道水にて機械力８５ｒｐｍ、洗浄１０分、その後濯ぎを３分した後、脱水を行う。前記に記した工程について５回累積洗濯を行った後、１日室内で自然乾燥を行った。乾燥したポリエステル布に、モデル皮脂汚れを均一量塗布し、更に１日放置した後、洗浄評価に用いた。
【００４９】
（洗浄条件及び評価方法）
ＪＩＳ Ｋ ３３６２：１９９８記載の衣料用合成洗剤の洗浄力評価方法により、表１に示された各液体洗剤組成物と判定用指標洗剤の洗浄結果を比較した。液体洗剤組成物の使用濃度を０．８３ｇ／Ｌとした。洗浄力の判定は、各配合例が指標洗剤より勝る場合を「◎」、指標洗剤と同等の場合を「○」、指標洗剤より劣る場合を「×」とした。
【００５０】
（II）吸水性の評価
１ｍ×１ｍの金巾２００３布（木綿１００％）の約１．５ｋｇ分を市販の表１に記載の液体洗剤組成物を用いて二槽式洗濯機（東芝銀河ＶＨ−３６０Ｓ１）で洗濯した〔洗剤濃度０．０６６７質量％、水道水（２０℃）３０Ｌ使用、洗濯１０分−脱水３分−すすぎ８分（流水すすぎ、水量１５Ｌ／ｍｉｎ．）〕。洗濯後、３分間脱水し、金巾２００３布を取り出し、室温で自然乾燥させた。これら一連の洗濯操作を２０回繰り返し処理した後、室温で４時間自然乾燥させた後、標準試験室（２５℃−６５％ＲＨ）で２４時間静置して調湿処理した。
【００５１】
調湿処理した金巾２００３布について、２．５ｃｍ×２５ｃｍの長さに切り取り、その短辺の一方を２０℃のイオン交換水に１ｃｍの深さまで浸漬した。浸漬から１０分後に毛細管現象により吸水した水の水面からの吸水高さを測定した（ＪＩＳ  Ｌ１９０７（繊維製品の吸水性試験法））。吸水高さが８ｃｍ以上のものを◎、６ｃｍ以上８ｃｍ未満を○、４ｃｍ以上６ｃｍ未満を△、４ｃｍ未満を×として判定し表１に示した。最初に採取した金巾２００３布（２０回の洗濯操作を行わないもの）の吸水高さは１０ｃｍであった。
【００５２】
【表１】
2008189755.tif 000007
【００５３】
なお表１記載の成分は、以下のものである。
・高分子化合物：Ｔｅｘｃａｒｅ ＳＲＮ−１７０（Ｃｌａｒｉａｎｔ社：重量平均分子量２７００、平均ＥＯ付加モル数３３．７）、モノマー構成単位ｃ１とモノマー構成単位ｃ２とをｃ１／ｃ２＝１０／９０〜９０／１０の範囲のモル比で含む高分子化合物に該当する。
・非イオン界面活性剤：炭素数１２のアルキル基を有する直鎖第１級アルコールにＥＯを平均１２モル付加させたもの。
・ＬＡＳ−Ｓ剤：炭素数１０〜１４の直鎖アルキル基を有する直鎖アルキルベンゼンスルホン酸
・シリコーン化合物：一般式（ｅ）中のＲ、Ｒ1eはメチル基、Ａ；（イ）−（ＣＨ2）3−ＮＨ−ＣＯ−ＣＨ2−Ｏ−（Ｃ2Ｈ4Ｏ）5−Ｃ12Ｈ25および、（ロ）−（ＣＨ2）3−ＮＨ2の混合、（イ）／（ロ）＝７／３（モル比）、Ｂ；−（ＣＨ2）3−Ｏ−（Ｃ2Ｈ4Ｏ）10−ＣＨ3、ｌ＝３００、ｍ＝７、ｎ＝４
・酵素：デュラザイム１６．０Ｌ（プロテアーゼ、ノボザイム社）
・ｐH調整剤：硫酸、水酸化ナトリウムを、表１中のｐＨとなるように適宜用いた。